(57)【要約】  【課題】  閉塞自在の３方向以上の接続口を備えた接続部材を用いることによって，空調用室内機と空調用室外機とに分離された分離型空気調和機の配管部接続構造における各々の配管の引き回しを簡便にし，配管作業に熟練を要しない配管部接続構造，及びその配管部接続構造を備えてなる分離型空気調和機を提供する。  【解決手段】本発明の配管部接続構造における，室内機側の配管接続弁１００，１１０（室外機だと２００，２１０）が備える接続口は，各々の配管と接続する接続口以外に，少なくとも１以上の接続口が余分に設けられている。そのため，左側から配管を接続したい場合，左側の接続口を用いて，右側の接続口には盲状のナットをかぶせて密封する構造をとることが出来る。同様に，右側から配管を接続したい場合，右側の接続口を用いて，左側の接続口には盲状のナットをかぶせて密封するという構造もとり得る。【選択図】図３
2005114222.tif 000002
【特許請求の範囲】
【請求項１】
室内に設置される空調用室内機及び／若しくは室外に設置される空調用室外機に設けられ，前記室内機と前記室外機との間で冷媒を送受するための配管と前記室内機及び／若しくは前記室外機の冷媒配管とを接続するための配管部接続構造において，
閉塞自在の３方向以上の接続口を一体に備え，前記配管と前記冷媒配管とを接続する接続部材を備えてなることを特徴とする配管部接続構造。
【請求項２】
実稼動時には，前記冷媒配管及び前記配管と接続された接続口を除く全ての前記接続部材の接続口が閉塞されてなる請求項１に記載の配管部接続構造。
【請求項３】
前記接続部材が，前記室内機及び／若しくは前記室外機の該室内機或いは室外機の長手方向の略中央部に設置されるものである請求項１あるいは２のいずれかに記載の配管部接続構造。
【請求項４】
請求項１〜４のいずれかに記載の配管部接続構造を備えてなる分離型空気調和機。
【発明の詳細な説明】
【技術分野】
【０００１】
本発明は，空調用室内機と空調用室外機とに分離された分離型空気調和機の配管部接続構造に係り，特に，閉塞自在の３方向以上の接続口を備えた接続部材を用いることによって，配管の引き回しを簡便にし，配管作業に熟練を要しない配管部接続構造，及びその配管部接続構造を備えてなる分離型空気調和機に関するものである。
【背景技術】
【０００２】
一般に，上記のような分離型空気調和機は，室内に設置される室内機と，コンプレッサを内部に備えて屋外に設置される室外機とから構成されている。このような分離型空気調和機における室内機と室外機との間で冷媒の送受を行う配管（以下，冷媒送受配管という）は，通常冷媒の往復分に当たる２本が設けられており，その各々の内部を一方向にのみ冷媒が流れている。即ち，室内機から室外機へ冷媒を送る冷媒送受配管と，室外機から室内機へ冷媒を送る冷媒送受配管である。また，一般に冷房時であれば，室内機から室外機へ冷媒を送る冷媒送受配管の径は，室外機から室内機へ冷媒を送る冷媒送受配管の径よりも大きく設計されている。この冷媒送受配管の径の差は，分離型空気調和機の構成上での，前者の冷媒送受配管内を流れる冷媒の圧力が，後者の冷媒送受配管内を流れる冷媒の圧力よりも小さいということに起因している。また，暖房時であれば，上記と逆の流れとなる。
これらの冷媒送受配管では，各々の一方が，室内機内に設けられた冷媒が流れる通路（以下，室内機冷媒配管という）に接続しており，また各々の他方が，室外機内に設けられた冷媒が流れる通路（以下，室外機冷媒配管という）に接続している。（以下，この構成を配管部接続構造という）
【０００３】
図１および図２は，従来の一般的な分離型空気調和機が備える室内機１における配管部接続構造，および室外機１０における配管部接続構造を示している。
図１に示される室内機１における配管部接続構造では，補助配管６に収容された室内機冷媒配管２ａ及び２ｂと，冷媒送受配管３ａ及び３ｂとが，配管接続弁４ａ及び４ｂにより各々接続されている。ここに，室内機冷媒配管２ａおよび冷媒送受配管３ａは，室外機１０から室内機１へと冷媒を送る配管であり，室内機冷媒配管２ｂおよび冷媒送受配管３ｂは，室内機１から室外機１０へと冷媒を送る配管である。また，室内機１は，室内機１が備える図示しない熱交換器表面に付着した水滴を屋外に排水するドレン管５も備えている。
一方，図２に示される室外機１０における配管部接続構造では，室外機１０に設けられたカバー１１に収容された室外機冷媒配管１２ａ及び１２ｂと，冷媒送受配管１３ａ及び１３ｂとが，固定ネジ１６を備えた配管接続弁１４ａ及び１４ｂにより各々接続されている。ここに，室外機冷媒配管１２ａおよび冷媒送受配管１３ａは，室外機１０から室内機１へと冷媒を送る配管であり，室内機冷媒配管１２ｂおよび冷媒送受配管１３ｂは，室内機１から室外機１０へと冷媒を送る配管である。また配管接続弁１４ｂについては，サービスポート（バルブ）１５も設けられている。
【０００４】
ここで，上述した従来の室内機１における配管部接続構造，及び室外機１０における配管部接続構造にて使用される，配管接続弁４ａ，４ｂ，１４ａ，１４ｂは，接続口の一方に上述した冷媒送受配管，他方に上述した室内機（あるいは室外機）冷媒配管を接続している。このことにより室内機１，室外機１０，および上述した２本の冷媒送受配管の設置に自由が利かない問題があった。このような設置の自由性を確保するため，室内機１側に上述した配管接続弁における接続口を左右どちらへの持っていける柔軟な補助配管６を備えたものが知られている。しかし，室内機１或いは室外機１０を設置する場所によっては，設置時の作業が困難であったり，室内機１の設置場所によっては，補助配管６の長さを自由に調節できないために補助配管６が余るという問題があった。同様に，冷媒送受配管３ａ及び３ｂについても，室内機１の設置場所，或いは設置方向によって必要な長さが大きく異なるという問題があった。また，室外機１０における配管部接続構造の場合では，図からも分かるように，通常，カバー１１は室外機１０の側面部に設けられている。そのため，室外機１０の設置場所のスペースに余裕がない場合ような場合には，冷媒送受配管１３ａ及び１３ｂと，室外機冷媒配管１２ａ及び１２ｂとの接続が困難となり，また冷媒送受配管１３ａ及び１３ｂの引き回しが必要となるので，設置作業を行う作業者には熟練した技術や経験が必要不可欠であった。
更に，カバー１１に収容される冷媒送受配管１３ａ，１３ｂ，及び室外機冷媒配管１２ａ，１２ｂが，室外機１０の側面に設けられている。そのため，そのカバーが設けられている側を，家屋の壁面に沿わせられない問題があった。
【０００５】
上述した室内機１における配管部接続構造の問題を解消するために，特許文献１に補助配管を必要としない配管部接続構造が示されている。この特許文献１に示される配管部接続構造では，室内機を壁面の所定の位置に設置すると，冷媒送受配管における室内機側の接続部が，室内機の後部から内部の所定位置へ入り込むことにより，室内機冷媒配管と冷媒送受配管とが容易に連結される仕組みになっている。
【特許文献１】特開平９−１７８２１２号公報
【発明の開示】
【発明が解決しようとする課題】
【０００６】
しかしながら，上述した特許文献１に示される配管部接続構造は，予め家屋の壁面に対して，室内機設置用の特殊な配管工事を別途行う必要がある。そのため，例えば集合住宅等で配管工事を行う場合，工事場所に十分なスペースがない場合も考えられ，配管工事に特殊な技術が必要であったり，時間や手間がかかってしまう可能性がある。また，この配管部接続構造は，あくまで室内機における配管部接続構造であり，室外機における配管部接続構造における問題点を解消するまでには至っていない。
【０００７】
従って，本発明は上記事情に鑑みてなされたものであり，その目的とするところは，閉塞自在の３方向以上の接続口を備えた接続部材を用いることによって，配管部接続構造における各々の配管の引き回しを簡便にし，配管作業に熟練を要しない配管部接続構造，及びその配管部接続構造を備えてなる分離型空気調和機を提供することである。
このことにより，分離型空気調和機の設置時に，閉塞自在の３方向以上の接続口を備える接続部材を介して，室内機の場合には冷媒送受配管と室内機冷媒配管とを，室外機の場合には冷媒送受配管と室外機冷媒配管とを直接接続することが可能になる。そのため，接続部材の左右どちらからでも配管が接続できるので，配管部接続構造における各々の配管の引き回しが複雑にならず，また設置するスペースも狭くて済む。更に，設置に特殊な技術を必要としないので，工事が容易であり手間もかからない。
【課題を解決するための手段】
【０００８】
上記目的を達成するために，本発明は，室内に設置される空調用室内機及び／若しくは室外に設置される空調用室外機に設けられ，前記室内機と前記室外機との間で冷媒を送受するための配管と前記室内機及び／若しくは前記室外機の冷媒配管とを接続するための配管部接続構造において，閉塞自在の３方向以上の接続口を一体に備え，前記配管と前記冷媒配管とを接続する接続部材を備えてなることを特徴とする配管部接続構造として構成される。
【０００９】
この場合，実稼動時には，前記冷媒配管及び前記配管と接続された接続口を除く全ての前記接続部材の接続口が閉塞されていることが望ましい。また，前記接続部材が，前記室内機及び／若しくは前記室外機の該室内機或いは室外機の長手方向の略中央部に設置されることが望ましい。
【００１０】
尚，上述した配管部接続構造については，分離型空気調和機が備える配管部接続構造であっても問題ない。
【発明の効果】
【００１１】
以上説明したように，本発明における配管部接続構造は，室内に設置される空調用室内機及び／若しくは室外に設置される空調用室外機に設けられ，前記室内機と前記室外機との間で冷媒を送受するための配管と前記室内機及び／若しくは前記室外機の冷媒配管とを接続するための配管部接続構造において，閉塞自在の３方向以上の接続口を一体に備え，前記配管と前記冷媒配管とを接続する接続部材を備えてなることを特徴としている。即ち，分離型空気調和機の設置時に，閉塞自在の３方向以上の接続口を備える接続部材を介して，室内機の場合には冷媒送受配管と室内機冷媒配管とを，室外機の場合には冷媒送受配管と室外機冷媒配管とを直接接続することが可能になる。このことにより，接続部材の左右どちらからでも配管が接続できるので，配管部接続構造における各々の配管の引き回しが複雑にならず，また設置するスペースも狭くて済む。更に，設置に特殊な技術を必要としないので，工事が容易であり手間もかからない。
また，前記配管部接続構造では，分離型空気調和機の実稼動時に，前記冷媒配管及び前記配管と接続された接続口を除く全ての接続口が閉塞される構成になっている。このように，接続口を余分に持たせ，余った分はナットなどで密封するということで，前記接続部材の左右どちらからでも，接続できることが可能になる。
【００１２】
更に，本発明では，前記接続部材が，前記室内機及び／若しくは前記室外機の該室内機或いは室外機の長手方向の略中央部に設置されている。そのため，前記配管が前記室内機に対して左右いずれの方向に設置されても，前記室内機の内部で，前記配管と前記冷媒配管とが直接接続されるので，従来備えられていた補助配管が不必要になると共に，室内機の設置場所によって，冷媒送受配管の長さが大きく異なるという問題も解消される。
また，前記室外機についても同様に，前記配管が前記室外機に対して左右いずれの方向に設置されても，前記室外機の内部で前記配管と前記冷媒配管とが直接接続されるので，従来のように前記室外機の側面部に別途設けられていた，配管接続弁の突出を覆う専用のカバーが不必要となり，更に前記室外機の側面を家屋の壁面に沿わせて設置することが可能になる。
以上のことから，前記室内機および前記室外機における配管部接続構造自体がコンパクト化され，前記室内機および前記室外機の設置場所に余裕ができるだけでなく，外観的にもすっきりするという効果を奏する。
【発明を実施するための最良の形態】
【００１３】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図３は本発明の一実施形態（以下，実施形態例という）に係る分離型空気調和機が備える，室内機Ａにおける配管部接続構造に用いられる配管接続弁の一例を示す側面図，図４は本実施形態例に係る分離型空気調和機が備える室外機Ｂにおける配管部接続構造に用いられる配管接続弁の一例を示す側面図，図５は本実施形態例に係る室内機Ａにおける配管部接続構造を示す室内機の正面図，図６は本実施形態例に係る室外機Ｂにおける配管部接続構造を示す室外機の正面図である。尚，本実施形態例に係る配管接続弁１００，１１０，２００，及び２１０については，閉塞自在の３方向以上の接続口を備え，室内機冷媒配管と冷媒送受配管とを接続する機能を果たすものであればどのような形態でも問題ない。
ここで，配管接続弁１００，１１０，２００，及び２１０が本発明における接続部材の一例である。また，冷媒送受配管１５１（１５１ａ，１５１ｂ），２５１（２５１ａ，２５１ｂ）が本発明における配管の一例である。更に，室内機冷媒配管１５０（１５０ａ，１５０ｂ），２５０（２５０ａ，２５０ｂ）が本発明における冷媒配管の一例である。
【００１４】
まず，図３および図５を用いて，本実施形態例に係る室内機Ａにおける配管部接続構造について説明する。尚，配管接続弁１００は室外機Ｂから室内機Ａへと冷媒を送り出すものであり，配管接続弁１１０は室内機Ａから室外機Ｂへと冷媒を送り出すものである。また，本実施形態例として挙げられる配管接続弁１００及び１１０は，接続口を３個備えているが，接続口を３個以上備えていても問題ない。
図３に示されるように，配管接続弁１００には，室内機冷媒配管１５０ａと接続するための接続口が，配管接続弁１００の背部に設けられており，また，冷媒送受配管１５１ａと接続するための接続口１０１及び１０２が，配管接続弁１００の側部に設けられている。ここで，実際に冷媒送受配管１５１ａと配管接続弁１５０ａとを接続する接続口（この場合，図中の接続口１０１）以外の接続口（図中の接続口１０２）については，一端が閉塞された盲状のナット１０３等で閉塞される。配管接続弁１１０についても同様に，室内機冷媒配管１５０ｂと接続するための接続口が，配管接続弁１１０の背部に設けられており，また，冷媒送受配管１５１ｂとを接続するための接続口１１１及び１１２が，配管接続弁１１０の側部に各々設けられている。ここで，冷媒送受配管１５１ｂと配管接続弁１５０ｂとを実際に接続する接続口（図中の接続口１１１）以外の接続口（図中の接続口１１２）については，盲状のナット１１３等で閉塞される。
尚，配管接続弁１００，１１０については，固定ネジ１０４，１１４により，それぞれ室内機Ａ本体に固定される。
このようにこの実施形態では，配管接続弁１００や１１０のように，少なくとも１以上の接続口が余分に設けられている。従って，例えば図３の左から冷媒送受配管１５１ａ或いは１５１ｂを接続したい（或いは左からしか接続できない）場合には，左側の接続口１０１，１１１を使うことで右側の接続口１０２及び１１２が余るのでこれに盲状のナット１０３，１１３をかぶせて密封するという構造を取ることができる。もちろん右側から接続したい場合には，左側の接続口１０１，１１１が余るのでこれに盲ナット１０３，１１３をかぶせればよい。こうして上記構造では，配管接続弁１００，１１０の左右どちらからでも接続できるので，従来のような接続口を選ばざるを得ないことにより必要な補助配管６を省略することができる。
【００１５】
次に図５を用いて，室内機Ａにおける配管部接続構造について説明する。室内機Ａの内部には，配管接続弁１００及び１１０，室内機冷媒配管１５０ａ及び１５０ｂ，冷媒送受配管１５１ａ及び１５１ｂ，熱交換を行う熱交換器１５２，不図示のドレン管と接続し，熱交換器１５２の表面に付着する結露水を受け取る熱交換機用ドレン皿１５３，冷媒送受配管１５１の表面に付着する結露水を受け取る配管用ドレン皿１５４等が設けられている。また，室内機Ａの前面には，着脱自在に装着される室内機用化粧パネル１５５が設けられている。ここで，室内機用化粧パネル１５５については，室内機Ａの前面全体を覆うものであってもよいし，室内機Ａの前面の一部を覆うものであってもよい。尚，本実施形態例における室内機用化粧パネル１５５は，室内機Ａの前面の一部を覆う化粧パネルを採用している。
ここで，冷媒送受配管１５１ａ及び１５１ｂと，配管接続弁１００及び１１０とを実際に接続する方法について，図３と図５とを用いて説明する。室内機Ａを室内の壁面に固定した後に，冷媒送受配管１５１ａ及び１５１ｂの一端を，配管接続弁１００及び１１０にそれぞれ接続する。この際に，壁面に設けられた冷媒送受配管１５１ａ及び１５１ｂを通す穴（以下，配管穴という）の位置の場所が，室内機Ａに対してどの方向であるかによって，配管接続弁１００及び１１０が備える複数の接続口のうち，冷媒送受配管１５１ａ及び１５１ｂが実際に接続される接続口が各々決定される（図３の場合の接続口１０１及び１１１）。言い換えると，室内機Ａの右側に配管穴が設けられる場合には，配管接続弁１００及び１１０における右側の接続口が，冷媒送受配管１５１ａ及び１５１ｂと実際に接続される。また使用されない接続口については，上述した一端が閉塞された盲状のナット１０３等で閉塞される。１０３，１１３により各々閉塞される。
このように，本実施形態例では，図５に示されるように，配管接続弁１００及び１１０は，室内機Ａの長手方向の略中央部に設置されている。ここで，図３からも分かるように，配管接続弁１００や１１０は，少なくとも１以上の接続口が余分に設けられている。例えば図３（或いは図５）の左から冷媒送受配管１５１ａ，或いは１５１ｂを接続したい（或いは左からしか接続できない）場合には，左側の接続口１０１，１１１を使うことで右側の接続口１０２及び１１２が余る。この余った接続口１０２及び１１２に盲状のナット１０３，１１３をかぶせて密封することで，配管接続弁１００や１１０の左右どちらからでも，接続できることが可能になる。
このことにより，上述した配管穴が室内機Ａの左右どちらの方向に設けられても配管部接続構造における各々の配管の引き回しが複雑にならず，また設置するスペースも狭くて済む。更に，設置に特殊な技術を必要としないので，工事が容易であり手間もかからない。
【００１６】
次に，図４および図６を用いて，本実施形態例に係る室外機Ｂにおける配管部接続構造について説明する。尚，配管接続弁２００は室外機Ｂから室内機Ａへと冷媒を送り出すものであり，配管接続弁２１０は室内機Ａから室外機Ｂへと冷媒を送り出すものである。また，本実施形態例として挙げられる配管接続弁２００及び２１０は，接続口を３個備えているが，接続口を３個以上備えていても問題ない。
図４に示されるように，配管接続弁２００には，室外機冷媒配管２５０ａと接続するための接続口が，配管接続弁２００の背部に設けられており，また，冷媒送受配管２５１ａと接続するための接続口２０１及び２０２が，配管接続弁２００の側部に設けられている。ここで，実際に冷媒送受配管２５１ａと配管接続弁２５０ａとを接続する接続口（この場合，図中の接続口２０１）以外の接続口（図中の接続口２０２）については，一端が閉塞された盲状のナット２０３等で閉塞されている。配管接続弁２１０についても同様に，室外機冷媒配管２５０ｂと接続するための接続口が，配管接続弁２１０背部に設けられており，冷媒送受配管２５１ｂと接続するための接続口２１１及び２１２が，配管接続弁１１０の側部に各々設けられている。ここで，冷媒送受配管２５１ｂと配管接続弁２５０ｂとを実際に接続する接続口（図中の接続口２１１）以外の接続口（図中の接続口２１２）については，盲状のナット２１３等で閉塞されている。また，配管接続弁２１０にはサービスポート（バルブ）２１５も備えられている。
このようにこの実施形態では，配管接続弁２００や２１０のように，少なくとも１以上の接続口が余分に設けられている。従って，例えば図４の左から冷媒送受配管２５１ａ或いは２５１ｂを接続したい（或いは左からしか接続できない）場合には，左側の接続口２０１，２１１を使うことで右側の接続口２０２及び２１２が余るのでこれに盲状のナット２０３，２１３をかぶせて密封するという構造を取ることができる。もちろん右側から接続したい場合には，左側の接続口２０１，２１１が余るのでこれに盲ナット２０３，２１３をかぶせればよい。こうして上記構造では，配管接続弁２００，２１０の左右どちらからでも接続できるので，上述した冷媒送受配管が前記室外機に対して左右いずれの方向に設置されても，前記室外機の内部で前記配管と前記冷媒配管とが直接接続される。  尚，配管接続弁２００および２１０については，固定ネジ２０４および２１４により，それぞれ室外機Ｂ本体に固定される。
【００１７】
次に図６を用いて，室外機Ｂにおける配管部接続構造について説明する。室内機Ｂの内部には，配管接続弁２００及び２１０，冷媒送受配管２５１ａ及び２５１ｂ，ファン２５２等が備えられている。また，配管接続弁２００及び２１０，冷媒送受配管２５１ａ及び２５１ｂが設けられている箇所には，着脱自在に装着される室外機用化粧カバー２５３が設けられている。ここで，室外機用化粧カバー２５３については，室外機Ｂの前面全体を覆うものであってもよいし，室外機Ｂの前面の一部を覆うものであってもよい。尚，本実施形態例における室外機用化粧カバー２５３は，室内機Ｂの前面の一部を覆うカバーを採用している。
ここで，冷媒送受配管２５１ａ及び２５１ｂと，配管接続弁２００及び２１０との実際の接続手順について，図４および図６を用いて説明する。室外機Ｂを屋外に固定した後に，冷媒送受配管２５１ａおよび２５１ｂの一端を，配管接続弁２００および２１０にそれぞれ接続する。この際に，壁面に設けられた冷媒送受配管２５１ａ及び２５１ｂを通す配管穴の位置の場所が，室外機Ｂに対してどの方向であるかによって，配管接続弁２００及び２１０が備える複数の接続口のうち，冷媒送受配管２５１ａ及び２５１ｂが実際に接続される接続口が各々決定される（図４の場合の接続口２０１及び２１１）。言い換えると，室内機Ｂの右側に配管穴が設けられる場合には，配管接続弁２００及び２１０における右側の接続口が，冷媒送受配管１５１ａ及び１５１ｂと実際に接続される。また使用されない接続口については，上述した一端が閉塞された盲状のナット２０３，２１３により各々閉塞される。
このように，本実施形態例では，図６に示されるように，配管接続弁２００及び２１０は，室外機Ｂの長手方向の略中央部に設置されている。ここで，図４からも分かるように，配管接続弁２００や２１０は，少なくとも１以上の接続口が余分に設けられている。例えば図４（或いは図６）の左から冷媒送受配管２５１ａ，或いは２５１ｂを接続したい（或いは左からしか接続できない）場合には，左側の接続口２０１，２１１を使うことで右側の接続口２０２及び２１２が余る。この余った接続口２０２及び２１２に盲状のナット２０３，２１３をかぶせて密封することで，配管接続弁２００や２１０の左右どちらからでも，接続できることが可能になる。
このことにより，上述した配管穴が室外機Ｂの左右どちらの方向に設けられても配管部接続構造における各々の配管の引き回しが複雑にならず，また設置するスペースも狭くて済む。更に，従来のように室外機の側面部に別途設けられていた，配管接続弁の突出を覆う専用のカバーが不必要となり，また，室外機Ｂの側面を家屋の壁面に沿わせて設置することも可能になる。その上，配管接続弁の突出がなくなったので設置場所に余裕を生じさせるだけでなく，外観的にもすっきりとしたものになる。
【００１８】
尚，図５および図６に示される配管部接続構造では，配管接続弁１００，１１０，２００，及び２１０を，室内機Ａ内部および室外機Ｂ内部の長手方向の略中央部に設置されている。しかし，これはあくまで一例であり，特に限定されるものではない。
【図面の簡単な説明】
【００１９】
【図１】従来技術に係る分離型空気調和機が備える室内機１における配管部接続構造。
【図２】従来技術に係る分離型空気調和機が備える室外機１０における配管部接続構造。
【図３】本実施形態例に係る分離型空気調和機が備える室内機Ａにおける配管部接続構造に用いられる配管接続弁の一例を示す側面図。
【図４】本実施形態例に係る分離型空気調和機が備える室外機Ｂにおける配管部接続構造に用いられる配管接続弁の一例を示す側面図。
【図５】本実施形態例に係る分離型空気調和機が備える室内機Ａにおける配管部接続構造を示す室内機の正面図。
【図６】本実施形態例に係る分離型空気調和機が備える室外機Ｂにおける配管部接続構造を示す室内機の正面図。
【符号の説明】
【００２０】
１…室内機
２ａ，２ｂ，１５０ａ，１５０ｂ…室内機冷媒配管
３ａ，３ｂ，１３ａ，１３ｂ，１５１，１５１ａ，１５１ｂ，２５１，２５１ａ，
２５１ｂ，…冷媒送受配管
４ａ，４ｂ，１００，１１０…室内機側の配管接続弁
５…ドレン管
６…補助配管
１０…室外機
１１…カバー
１２ａ，１２ｂ，２５０，２５０ａ，２５０ｂ…室外機冷媒配管
１４ａ，１４ｂ，２００，２１０…室外機側の配管接続弁
１５，２１５…サービスポート（バルブ）
１６，１０４，１１４，２０４，２１４…固定ネジ
１０１，１０２，１１１，１１２，２０１，２０２，２１１，２１２…接続口
１０３，１１３，２０３，２１３…ナット
１５２…熱交換器
１５３…熱交換機用ドレン皿
１５４…配管用ドレン皿
１５５…室内機用化粧パネル
２５２…ファン
２５３…室外機用化粧カバー
【図１】
2005114222.tif 000003
【図２】
2005114222.tif 000004
【図３】
2005114222.tif 000005
【図４】
2005114222.tif 000006
【図５】
2005114222.tif 000007
【図６】
2005114222.tif 000008